(57)【要約】      （修正有）【課題】長時間使用しても手指が痛くなりにくい鋏を提供する。【解決手段】刃体部１１と、該刃体部の長さ方向の後端部に延設されたリング状の把持部１３，１４とからなる一対の鋏構成部材２０，２１が、上記刃体部と上記把持部との間に設けられた軸部１５において回動可能に支持される鋏であって、上記把持部は、弾性変形し得る芯材部１６，１７と、該芯材部よりも硬度が低い合成樹脂により形成された表層部１８，１９とにより構成される。【選択図】図１
0003171790.tif 000002
【実用新案登録請求の範囲】
【請求項１】
刃体部と、上記刃体部の長さ方向の後端部に延設されたリング状の把持部とからなる一対の鋏構成部材が、上記刃体部と上記把持部との間に設けられた軸部において回動可能に支持される鋏であって、上記把持部は、弾性変形し得る芯材部と、上記芯材部よりも硬度が低い合成樹脂により形成された表層部とにより構成されていることを特徴とする鋏。
【請求項２】
上記芯材部は上記把持部の内方部に配置されていることを特徴とする請求項１に記載の鋏。
【請求項３】
上記芯材部は上記把持部の全周に配置されていることを特徴とする請求項１に記載の鋏。
【請求項４】
上記芯材部は上記表層部に被覆されていることを特徴とする請求項１〜３のいずれか１項に記載の鋏。
【請求項５】
上記芯材部は上記把持部の全周にわたって表層部に露出した状態で配置されていることを特徴とする請求項１〜３のいずれか１項に記載の鋏。
【請求項６】
上記芯材部はポリプロピレン樹脂により形成されていることを特徴とする請求項１〜５のいずれか１項に記載の鋏。
【請求項７】
上記合成樹脂はエラストマー樹脂であることを特徴とする請求項１〜６のいずれか１項に記載の鋏。
【考案の詳細な説明】
【技術分野】
【０００１】
本考案は、鋏に係り、特似、長時間使用しても手指が痛くなりにくい鋏に関する。
【背景技術】
【０００２】
一般に、事務用あるいは子ども用として製造される鋏の把持部は金属や硬質の合成樹脂により形成されており、手指との接触部が硬く、力を込めて使用したときや、長時間使用したときには手指が痛くなるという不具合があった。
【０００３】
そこで、指との接触面に軟質材を用いた緩衝構造が設けられ、使用時の感触を良好にするとともに、力を込めて使用したときに手指が痛くなりにくい鋏が知られている。
【０００４】
しかしながら、上記の特許文献１に示された鋏の構造では、把持部に硬質の芯材が用いられており、長時間使用したときには手指が痛くなるという不具合があった。
【特許文献１】特開２０１０−２４７２９３号
【考案の開示】
【考案が解決しようとする課題】
【０００５】
そこで、本考案の課題は、長時間使用しても手指が痛くなりにくい鋏を提供することにある。
【課題を解決するための手段】
【０００６】
上記課題を解決するために、請求項１に記載の考案に係る鋏は、刃体部と、上記刃体部の長さ方向の後端部に延設されたリング状の把持部とからなる一対の鋏構成部材が、上記刃体部と上記把持部との間に設けられた軸部において回動可能に支持される鋏であって、上記把持部は、弾性変形し得る芯材部と、上記芯材部よりも硬度が低い合成樹脂により形成された表層部とにより構成されていることを特徴とする。
【０００７】
したがって、上記鋏を使用する際に手指に触れる上記表層部が、弾性変形し得る上記芯材部よりも硬度が低い合成樹脂により形成されている。
【０００８】
また、上記把持部に、上記芯材部を弾性変形させ得る力が加えられると、上記表層部が変形するだけでなく、上記芯材部もともに変形することとなる。
したがって、上記把持部に上記芯材部を弾性変形させ得る力が加えられると、上記把持部全体が変形する。
【０００９】
請求項２に記載の考案に係る鋏は、上記芯材部は上記把持部の内方部に配置されていることを特徴とする。
【００１０】
請求項３に記載の考案に係る鋏は、上記芯材部が上記把持部の全周に配置されていることを特徴とする。
【００１１】
したがって、紙等を切断する際、上記把持部に手指から上記芯材部を弾性変形させ得る力が加えられると、上記芯材部が上記把持部のどの部位においても弾性変形することにより、上記把持部と手指との接触部から手指に加わる負荷を軽減させることができる。
【００１２】
請求項４に記載の考案に係る鋏は、上記芯材部が上記表層部に被覆されていることを特徴とする。
【００１３】
請求項５に記載の考案に係る鋏は、上記芯材部が上記把持部の全周にわたって表層部に露出した状態で配置されていることを特徴とする。
【００１４】
請求項６に記載の考案に係る鋏は、上記芯材部がポリプロピレン樹脂により形成されていることを特徴とする。
【００１５】
請求項７に記載の考案に係る鋏は、上記合成樹脂がエラストマー樹脂であることを特徴とする。
【考案の効果】
【００１６】
請求項１〜７に係る鋏は、上記鋏を使用する際に手指に触れる上記表層部が弾性変形し得る上記芯材部よりも硬度が低い合成樹脂により形成されており、その結果、上記表層部の手触りが良好なものとなる。
【００１７】
また、上記把持部に上記芯材部を弾性変形させ得る力が加えられると、上記把持部全体が変形し、その結果、従来と異なり、使用者に対して把持部全体が柔らかい使用時の感覚を与えることができる。
【００１８】
請求項２に係る鋏は、紙等を切断する際、上記把持部の内方部に手指から上記芯材部を弾性変形させ得る力が加えられると、上記芯材部が弾性変形することにより、上記把持部の内方部から手指に加わる負荷を軽減させることができ、その結果、上記鋏を長時間使用しても手指が痛くなりにくいようにすることができる。
【００１９】
請求項３に係る鋏は、紙等を切断する際、上記把持部に手指から上記芯材部を弾性変形させ得る力が加えられると、上記芯材部が上記把持部のどの部位においても弾性変形することにより、上記把持部と手指との接触部から手指に加わる負荷を軽減させることができ、その結果、上記鋏を長時間使用しても手指が痛くなりにくいようにすることができる。
【００２０】
請求項４に係る鋏は、上記芯材部が上記表層部に被覆されており、把持部のいずれの部位においても柔らかい、快適な使用感が得られる。
【００２１】
請求項５に係る鋏は、上記芯材部は上記把持部の全周部に配置されており、紙等を切断する際、上記把持部に手指から上記芯材部を弾性変形させ得る力が加えられると、上記芯材部が上記把持部のどの部位においても弾性変形することにより、上記把持部と手指との接触部から手指に加わる負荷を軽減させることができ、その結果、上記鋏を長時間使用しても手指が痛くなりにくいようにすることができる。
【００２２】
請求項６に係る鋏は、上記芯材部に軽量なポリプロピレン樹脂を用いることにより、上記把持部を軽量化することができ、その結果、上記鋏を長時間しようしても手指が痛くなりにくいようにすることができる。
【００２３】
請求項７に係る鋏は、上記表層部がエラストマー樹脂により形成されており、上記表層部の手触りが良好なものとなる。
【図面の簡単な説明】
【００２４】
【図１】本考案に係る鋏の一実施の形態における鋏を示す平面図である。
【考案を実施するための最良の形態】
【００２５】
以下、添付図面に示す実施の形態に基づき、本考案を詳細に説明する。
【００２６】
図１に示すように、本実施の形態に係る鋏１０は、細長の刃体部１１、１２と、刃体部１１、１２の長さ方向の後端部にそれぞれ延設されたリング状の把持部１３、１４とからなる一対の鋏構成部材２０、２１が刃体部１１、１２と把持部１３、１４との間に設けられた軸部１５において回動可能に支持されている。
【００２７】
把持部１３、１４は、芯材部１６、１７および、表層部１８、１９により構成されており、芯材部１６、１７は弾性変形し得るポリプロピレン樹脂により形成され、表層部１８、１９は芯材部１６、１７よりも硬度が低いエラストマー樹脂により形成されている。
【００２８】
芯材部１６、１７は把持部１３、１４の全周にわたり、把持部１３、１４の幅方向中間部において表層部１８、１９に露出した状態で配置されている。
【００２９】
表層部１８、１９は、鋏構成部材２０，２１の軸部１５付近までそれぞれ延設され、刃体部１１、１２を被覆している。
【００３０】
また、把持部１３、１４の内方部２２、２３は、ともに把持部１３、１４の幅方向外方へ湾曲し、刃体部１１、１２を閉じる際には、把持部１３、１４も楕円状の空隙２４を形成して閉じるように成形されている。
【００３１】
以下、本実施の形態に係る鋏１０の作用について説明する。
【００３２】
鋏１０の表層部１８、１９はエラストマー樹脂で形成されており、手に取る際や、使用する際の手触りが良い。
【００３３】
芯材部１６、１７は、画用紙やコピー用紙等の薄い紙や、テープ類を切断する際に必要とされる程度の弱い力では変形しないが、ボール紙等の厚い紙や硬い紙を切断する際に必要とされる程度の力が加えられた場合には変形する。
【００３４】
また、芯材部１６、１７は把持部１３、１４の全周にわたって配置されており、芯材部１６、１７が把持部１３、１４のどの部位においても弾性変形することができる。
【００３５】
したがって、鋏１０を用いて、画用紙やコピー用紙等の薄い紙や、テープ類を切断する場合には、把持部１３、１４に指を掛け、内方部２２、２３にたがいに対向する方向の力を加えることにより、刃体部１１、１２を閉じていくが、このとき、内方部２２、２３は変形せずに表層部１８、１９により、良好な手触り感を維持して使用することができる。
また、ボール紙等の厚い紙や硬い紙を切断する場合には、内方部２２、２３にたがいに対向する方向の力を加えると、内方部２２、２３がたがいに接近するように把持部１３、１４の幅方向内方へ変形し、手指にかかる負荷を軽減させることができる。
【００３６】
また、芯材部１６、１７および表層部１８、１９がともに軽量な合成樹脂により形成されている。したがって、把持部１３、１４の全体が軽量となり、使用時に手指にかかる負担を軽減させることができる。
【産業上の利用可能性】
【００３７】
本考案は、鋏に適用可能である。
【符号の説明】
【００３８】
１０    鋏
１１    刃体部
１２    刃体部
１３    把持部
１４    把持部
１５    軸部
１６    芯材部
１７    芯材部
１８    表層部
１９    表層部
２０    鋏構成部材
２１    鋏構成部材
２２    内方部
２３    内方部
２４    空隙
【図１】
0003171790.tif 000003